(57)【要約】      （修正有） 【課題】容器内の熱を受ける表面積を拡張し、炎の高さを高くすることを可能とし、熱による動力エネルギーを発生させて対流速度を速め、高速の熱伝導と省エネを達成する省熱エネルギー煮沸容器を提供する。【解決手段】少なくとも１以上の柱体１Ａが形成されたチャンバー１２を具える筒状本体１１において、該筒状本体１１を上から見て下方の底部１３には反対方向に少なくとも１以上の凹状の熱収集カバー溝１４が形成され、該熱収集カバー溝１４の外周には該チャンバー１２内に形成される少なくとも１以上の熱導電カバー１５を具える。【選択図】図２
0003215475.tif 000002
【実用新案登録請求の範囲】
【請求項１】
少なくとも１以上の柱体が形成されたチャンバーを具える筒状本体において、該筒状本体を上から見て下方の底部には反対方向に少なくとも１以上の凹状の熱収集カバー溝が形成され、該熱収集カバー溝の外周には該チャンバー内に形成される少なくとも１以上の熱導電カバーを具えることを特徴とする省熱エネルギー煮沸容器。
【請求項２】
前記底部は、上から見ると少なくとも１以上の凸状の柱体が均一の間隔で環状に形成され、該底部の反対方向から見ると少なくとも１以上の凹状の熱収集カバー溝が均一の間隔で環状に形成され、該熱収集カバー溝の外周は熱伝導カバーが形成され、上から見ると、凸状の柱体が一体に形成され、反対方向にから見ると凹状の熱収集カバー溝が形成されることを特徴とする請求項１に記載の省熱エネルギー煮沸容器。
【考案の詳細な説明】
【技術分野】
【０００１】
この考案は煮沸容器に関し、特に水を収納する筒状の容器であり、かつ収納した水に熱エネルギーを高速で伝導する機能を有する容器であって、該容器内に熱伝導面積を拡張し、炎の高熱点を高くする熱伝動カバーを具え、確実に位置エネルギーの高熱点を高くし、熱交換の効果を高める省熱エネルギー煮沸容器に関する。
【背景技術】
【０００２】
図１は、従来の水を煮沸する方式を示した説明図である。図面の開示によれば、従来の方法は、大量の水Ａ０を煮沸する加熱容器１０を用いる。加熱容器１０の下方にはコンロ台２０を設置し、コンロ台２０上には加熱容器１０を加熱するためのコンロ３０を設置し、コンロ３０に点火して加熱容器１０に収納した水が沸騰するまで加熱し、沸騰した後火を止めるか、又はとろ火にして温度を制御する。
【０００３】
沸騰させた大量の水Ａ０の用途は、一般的には、飲食店での洗い物で水Ａ０を使用する。また学校の食堂やレストランの厨房での使用に水Ａ０を貯える。また、家畜を屠殺して毛を除去するために水Ａ０を貯える。加熱容器に入れて煮沸する水Ａ０は少なくとも６リットル以上であって、はじめて実用的な効果が得られる。但し、加熱容器１０に１００リットル以上になる大量の水を入れて沸騰させる過程においては、ほとんどの場合が１２０分か、または１２０から２５０分の間の時間を要する、よって、水Ａ０を煮沸するには時間を浪費するという事実以外に、また熱エネルギーの大量の浪費にもなる（例えば、飲食店、学校や食堂の厨房、動物などは、ここでは図示して符号を付すことはしない）。
【０００４】
したがって、従来の加熱容器１０は水１０の煮沸に時間と燃料の大量の浪費を伴うという欠点を具える。このため、沸騰させる時間を短縮して、はじめて時間と燃料を節約する方式が得られる。
【考案の概要】
【考案が解決しようとする課題】
【０００５】
この考案は、容器内の熱を受ける表面積を拡張し、炎の高さを高くすることを可能とし、熱による動力エネルギーを発生させて対流速度を速め、高速の熱伝導と省エネを達成する省熱エネルギー煮沸容器を提供することを課題とする。
【課題を解決するための手段】
【０００６】
本考案者の省熱エネルギー煮沸容器は高い熱伝動効果を有する筒状本体を具え、該筒状本体内に大きさの仕様が変更可能なチャンバーを形成し、該筒状本体を上から見て下方の底部に凸状の柱体を立設した（内部は凹状）熱伝動カバーを具える。
【０００７】
該筒状本体下方には平坦に低部を設け、魏底部には上方に凹状を形成する少なくとも１以上の熱収集カバー溝を形成し、該熱収集カバー溝の外周には、上方に延伸して該チャンバー内に形成される熱伝動カバーを具える。
【図面の簡単な説明】
【０００８】
【図１】従来の煮沸方法を示した説明図である。
【図２】この考案による煮沸容器の構造を示した説明図である。
【図３】この考案による煮沸容器の構造を示した断面図である。
【図４】この考案による煮沸容器の構造を示した平面図である。
【図５】この考案による煮沸容器に支持脚を設けた状態を示した説明図である。
【図６】この考案による煮沸容器の使用態様を示した説明図である。
【考案を実施するための形態】
【実施例】
【０００９】
図２、４、５、６は、それぞれこの考案による省熱エネルギー煮沸容器の構造を示した斜視図と断面図と平面図と及びスタンドを設けた状態での使用態様を示した説明図である。この考案は省熱エネルギーを達成する煮沸容器を提供するものであって、図面に開示するように、煮沸容器１は少なくとも１以上の筒状本体１１を具え、筒状本体１１は下方に窪んで少なくとも１以上のチャンバー１２を形成するとともに、筒状本体１１の下方には少なくとも１以上の底部１３を具える。底部１３には上方に延伸する熱収集カバー溝１４が少なくとも１以上形成され、熱収集カバー溝１４の外周は、図２、３に開示するように上方に延伸してチャンバー１２内に伸入する熱伝導カバー１５を具える。
【００１０】
即ち、底部１３は、上から見ると少なくとも１以上の凸状の柱体１Ａが均一の間隔で環状に形成され、底部１３の反対方向から見ると少なくとも１以上の凹状の熱収集カバー溝１４が均一の間隔で環状に形成される。熱収集カバー溝１４の外周は熱伝導カバー１５が形成される。よって、上から見ると、凸状の柱体１Ａが一体に形成され、反対方向にから見ると凹状の熱収集カバー溝１４が形成される（図４に開示するとおりである。別途図２、図３の開示も参照されたし）。筒状本体１１の底部１３は、円周が下方に延伸して補強環状部１６を形成する（図２、図３に開示するとおり）。
【００１１】
補強環状部１６には、下方に延伸する４本の支持脚１７を設け、かつ支持脚１７の間にはコンロ支持フレーム１８を設ける。コンロ支持フレーム１８上には煮沸容器１を加熱するためのコンロ２を設置する（図５に開示するとおり）。
【００１２】
煮沸容器１を使用する場合は、チャンバー１２に大量の水溶液Ａを入れ、コンロ２に点火して炎２１を出し、チャンバー１２内の水溶液Ａが沸騰するまで底部１３と熱収集カバー溝１４の熱伝動カバー１５を加熱する。その原理については、炎２１に発生した集中熱エネルギーが底部１３と熱伝導カバー１５を介して水溶液Ａに伝わる。チャンバー１２内に、上方に向かって立設された熱伝動カバー１５は、水溶液Ａに対して熱伝導のために接触する表面積を拡張し、面積を拡張することによって熱伝導カバー１５内の炎の高熱点を高くし、水溶液Ａの沸騰を速めることができる。熱交換モデル換算及び小型の熱伝導カバー１５の実体試験から推計すると、円の直径６０ｃｍ、深さ６０ｃｍの体積＝＞（３０ｃｍ）2π×６０ｃｍ×９５％＝１６１１６４立方ｃｍ＝１６１リットル（水溶液Ａ）、８本の熱伝動カバー１５の体積＝（５ｃｍ））2×π×４５ｃｍ×８本＝約２８０７４立方ｃｍ≒２８?。１６１?−２８?＝１３３?（水溶液Ａ）。ダブルホースの高速コンロを使用した炎２１は約３０分で２５℃から１００℃に至るまで加熱して沸騰させることができる（図６に開示するとおり）。
【００１３】
以上によれば、この考案の特徴は、煮沸容器１を使用する場合、熱収集カバー溝１４と一体の熱伝導カバー１５に熱伝導し、直接水溶液Ａに熱伝導することにあり、チャンバー１２において、上方に向かって立設される熱伝動カバー１５は水溶液Ａの量の多寡に合わせて増加することができ、炎の高さを高くすることで自然現象として熱エネルギーが増大し、水溶液Ａの沸騰を促進する。上述する試験基準によれば、具体的に３０分ほどで水溶液Ａの温度を２５℃から１００℃に至らしめ沸騰させることができる（従来の方法に比して四分の一の時間）。よって、少なくとも大量のエネルギー（ガス）と時間とを節約するという効果が得られる。
【符号の説明】
【００１４】
１    煮沸容器
１０    加熱容器
１Ａ    柱体
１１    筒状本体
１２    チャンバー
１３    底部
１４    熱収集カバー溝
１５    熱伝動カバー
１６    補強環状部
１７    支持脚
１８    コンロ支持フレーム
２    コンロ
２０    コンロ台
２１    炎
Ａ    水溶液
Ａ０    水
３０    コンロ
【図１】
0003215475.tif 000003
【図２】
0003215475.tif 000004
【図３】
0003215475.tif 000005
【図４】
0003215475.tif 000006
【図５】
0003215475.tif 000007
【図６】
0003215475.tif 000008